【手続補正書】
【提出日】平成21年3月13日(2009.3.13)
【手続補正１】
【補正対象書類名】明細書
【補正対象項目名】全文
【補正方法】変更
【補正の内容】
【発明の詳細な説明】
【発明の名称】スピニングリールのドラグ装置
【技術分野】
【０００１】
本発明は、ドラグ装置、特に、スピニングリールのリール本体の後部に配置されたスピニングリールのドラグ装置に関する。
【背景技術】
【０００２】
スピニングリールには、釣り糸の切断を防止するなどの目的でスプールの糸繰り出し方向の回転を制動するドラグ装置が装着されている。このようなドラグ装置において、リール本体の後部に強弱２つのドラグ部を有し、それを切り換え可能なドラグ装置が従来知られている（たとえば、特許文献１参照）。
【０００３】
従来のドラグ装置は、リール本体の後部に設けられた第１ドラグ部と、第１ドラグ部の前方に配置された第２ドラグ部と、第１ドラグ部をドラグ可能状態とドラグ不能状態とに切り換える切換機構とを備えている。第１ドラグ部は、仕掛けに魚が掛かったときに、釣り糸が切れないようにするための強いドラグ力でスプールを制動するのに使用する。第２ドラグ部は、たとえば、仕掛けに鰯などの生き餌を付けて泳がせる際に、生き餌の泳ぎだけでは釣り糸があまり繰り出されない程度の弱いドラグ力でスプールを制動するのに使用する。
【０００４】
第１ドラグ部は、リール本体の後部に形成された筒状部に螺合する有底筒状の第１ドラグつまみと、第１ドラグつまみにねじ部材により一体回転可能に連結された押圧部材と、押圧部材により押圧される複数の第１被押圧部とを有している。第２ドラグ部は、筒状部に第１ドラグつまみの前方で螺合する筒状の第２ドラグつまみと、第２ドラグつまみにより押圧される複数の第２被押圧部とを有している。
【０００５】
切換機構は、スプール軸に回転不能にかつ第１位置と第１位置より前方の第２位置とに軸方向移動自在に装着された切換部材と、切換部材に係合する第１及び第２係止部材と、切換部材を第１位置と第２位置とに移動させる切換レバーとを有している。第１係止部材は、外周に第１被押圧部が配置され第１位置にあるとき切換部材に回転不能に係合する。第２係止部材は、外周に第２被押圧部が配置され切換部材に常時回転不能に係合する。
【０００６】
このような構成のスピニングリールでは、切換レバーにより切換部材を第１位置に移動させると、第１ドラグ部が動作して強いドラグ力が得られる。また、切換レバーにより切換レバーを前方の第１位置に移動させると、第１ドラグ部がドラグ不能状態になり、第２ドラグ部だけが動作して弱いドラグ力が得られる。第１ドラグ部のドラグ力が第１ドラグつまみにより調整される。第１ドラグつまみをたとえば、ねじが締まる方向に回すと、第１ドラグつまみ及び第１押圧部材は前進し第１被押圧部を徐々に強く押圧し、第１ドラグ部のドラグ力が強くなる。逆に回すと第１ドラグつまみ及び第１押圧部材が後退しドラグ力が弱くなる。同様に、第２ドラグつまみをたとえば、ねじが締まる方向に回すと、第２ドラグつまみは前進し第２被押圧部を徐々に強く押圧し、第２ドラグ部のドラグ力が強くなる。逆に回すと第２ドラグつまみが後退しドラグ力が弱くなる。
【特許文献１】実公平８−１０２８４号公報
【発明の開示】
【発明が解決しようとする課題】
【０００７】
前記従来の構成では、ドラグ力を調整するために第１ドラグつまみ及び第２ドラグつまみを回動操作すると、いずれのドラグつまみとも筒状部の外周面に螺合しているので前後に移動する。このため、第１ドラグつまみとその前方の第２ドラグつまみとの間及び第２ドラグつまみとリール本体の後部との間に隙間が生じることがある。このような隙間が生じると、隙間にゴミや釣り餌の残り滓などの異物がドラグつまみの内部に侵入して、第１及び第２ドラグつまみが回りにくくなり、第１及び第２ドラグつまみを操作しにくくなるおそれがある。
【０００８】
本発明の課題は、切換可能な２つのドラグ部を有するスピニングリールのドラグ装置において、ドラグつまみの内部への異物の侵入を可及的に抑えることができるようにすることにある。
【課題を解決するための手段】
【０００９】
発明１に係るスピニングリールのドラグ装置は、スピニングリールのリール本体の後部に配置されたドラグ装置であって、第１ドラグ部と、第２ドラグ部と、切換機構と、を備えている。第１ドラグ部は、リール本体の後部に設けられた筒状部の外周面に前後移動不能かつ回転自在に装着された第１ドラグつまみと、筒状部の内周面に第１ドラグつまみと一体回転可能かつ前後移動自在に装着され、筒状部の内周面に螺合する第１押圧部材と、第１押圧部材により押圧される第１被押圧部と、を有し、スプールが前部に装着されたスプール軸を制動するものである。第２ドラグ部は、第１ドラグつまみの前方で筒状部の外周面に前後移動不能かつ回転自在に装着された第２ドラグつまみと、筒状部の第１ドラグつまみより前方の外周面に第２ドラグつまみと一体回転可能かつ前後移動自在に装着され、筒状部の外周面に螺合する第２押圧部材と、第２押圧部材により押圧される第２被押圧部と、を有し、第１ドラグ部より前方でスプール軸を制動するものである。切換機構は、第１ドラグ部をドラグ可能状態とドラグ不能状態とに切り換える機構である。
【００１０】
このドラグ装置では、第１ドラグ部のドラグ力を調整する際には、第１ドラグつまみをいずれかの方向に回す。第１ドラグつまみを回すと、筒状部の内周面に螺合する第１押圧部材が前後いずれかに移動して第１被押圧部への押圧力を変化させドラグ力を調整できる。また、第２ドラグ部のドラグ力を調整する際には、第２ドラグつまみをいずれかの方向に回す。第２ドラグつまみを回すと、筒状部の外周面に螺合する第２押圧部材が前後いずれかに移動して第２被押圧部への押圧力を変化させドラグ力を調整できる。ここで、第１及び第２ドラグつまみは、いずれも前後移動不能に筒状部に装着されている。このため、いずれのドラグつまみを回してもドラグつまみは前後移動せずに回転するだけである。したがって、両ドラグつまみの隙間及び第２ドラグつまみとリール本体との隙間を可及的に小さくすることで、両ドラグつまみの内部への異物の侵入を可及的に抑えることができる。
【００１１】
発明２に係るスピニングリールのドラグ装置は、発明１に記載の装置において、第１押圧部材は、第１被押圧部を切換機構に向けて押圧し、第２押圧部材は、第２被押圧部をリール本体に向けて押圧する。この場合には、切換機構に向けて第１押圧部材が移動すると第１ドラグ部のドラグ力が大きくなり、リール本体に向けて第２押圧部材が移動すると第２ドラグ部のドラグ力が大きくなる。ここでは、リール本体ではなく切換機構に向けて押圧しているので、リール本体の構造を簡素化できる。
【００１２】
発明３に係るスピニングリールのドラグ装置は、発明１又は２に記載の装置において、第２ドラグ部は、第１ドラグ部より弱い最大ドラグ力でスプール軸を制動する。この場合には、最大ドラグ力が強く頻繁に調整することが多い第１ドラグ部が操作しやすい後方に配置されるので、釣りを行っているときにドラグ力を簡単に調整できる。
【００１３】
発明４に係るスピニングリールのドラグ装置は、発明１から３のいずれかに記載の装置において、切換機構は、スプール軸に第１位置と第１位置より前方の第２位置とに前後移動自在かつ回転不能に装着された筒状の切換部材と、切換部材が第１位置にあるとき切換部材に回転不能に係合し、かつ筒状部に前方への移動が規制された状態で装着された鍔付き筒状の第１係止部材と、第１係止部材の前方に配置され、切換部材が第２位置にあるとき切換部材に回転不能に係合し、かつ筒状部に前方への移動が規制された状態で装着された筒状の第２係止部材と、リール本体にスプール軸と食い違う軸周りに揺動自在に装着され、切換部材を第１位置と第２位置との間で前後移動させる切換レバーと、を有する。この場合には、切換レバーにより切換部材を第１位置と第２位置とのいずれかに前後移動させるだけで、ドラグ力を切り換えできる。
【００１４】
発明５に係るスピニングリールのドラグ装置は、発明４に記載の装置において、第１被押圧部は、第１係止部材の外周面に回転不能に装着された少なくとも一つの第１ドラグディスクと、第１ドラグディスクと並べて第１係止部材の外周面に回転自在に装着され筒状部に回転不能に係止される少なくとも一つの第２ドラグディスクとを有し、第２被押圧部は、第２係止部材の外周面に回転不能に装着された少なくとも一つの第３ドラグディスクと、第３ドラグディスクと並べて第２係止部材の外周面に回転自在に装着され筒状部に回転不能に係止される少なくとも一つの第４ドラグディスクと、を有する。この場合には、それぞれの被押圧部が、リール本体（筒状部）に対して回転不能な第２及び第４ドラググディスクと、いずれかの係止部材及び切換部材を介してスプール軸に対して回転不能な第１及び第３ドラグディスクとのそれぞれ２種のドラグディスクにより制動するので、ドラグ力が強くなるとともに、ドラグ力を細かく調整できる。
【００１５】
発明６に係るスピニングリールのドラグ装置、発明１から５のいずれかに記載の装置において、第１ドラグつまみは、筒状部に回転自在かつ軸方向移動不能に装着された鍔付き円筒状の第１つまみ部材と、筒状部の後端部を塞ぐように第１つまみ部材にねじ込み固定された有底筒状の第２つまみ部材と、を有し、第１押圧部材は、第２つまみ部材に一体回転可能かつ軸方向移動自在に連結されている。この場合には、第１ドラグつまみを２つの部材に分割したので、筒状部に回転自在かつ軸方向移動不能な部分（第１つまみ部材）と押圧部材を押圧する部分（第２つまみ部材）とを組立しやすい簡素な構成で実現できる。
【発明の効果】
【００１６】
本発明によれば、第１及び第２ドラグつまみは、いずれも前後移動不能に筒状部に装着されている。このため、いずれのドラグつまみを回してもドラグつまみは前後移動せずに回転するだけである。したがって、両つまみの隙間及び第２ドラグつまみとリール本体との隙間を可及的に小さくすることで、ドラグつまみの内部への異物の侵入を可及的に抑えることができる。
【発明を実施するための最良の形態】
【００１７】
＜全体構成＞
図１において、本発明の一実施形態を採用したスピニングリールは、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１８】
リール本体２は、図１及び図２に示すように、各種の機構が装着されるリールボディ２ａと、リールボディ２ａに着脱自在に装着されリールボディ２ａとの間で各種の機構を収納する機構収納空間を形成し得る蓋部材２ｂ（図２参照）とを有している。
【００１９】
図２に示すように、リールボディ２ａは、たとえばアルミニウム合金等の金属製又は合成樹脂製の部材である。リールボディ２ａの後部には、後方に延びる筒状部２ｄが形成されている。筒状部２ｄには、図２及び図３に示すように、内外周面を貫通する前後方向に延びる１対の係止溝２ｅが形成されているとともに、後述する止め輪３９ａ〜３９ｃを装着するための複数の環状溝２ｆが形成されている。また、筒状部２ｄの基端部には、１／３円程度の角度で前後方向に適宜の寸法で円弧状に切り欠かれた切欠き部２ｇが形成されている。切欠き部２ｇの周方向の中央部には、内外周を径方向に貫通する係止孔（図示せず）が形成されている。切欠き部２ｇの外周側には、切欠き部２ｇをカバーするカバー部材４７が装着されている。さらに、筒状部２ｄの基端側外周面には、雄ねじ部２ｈが形成され、先端側内周面には、雌ねじ部２ｉが形成されている。また、リールボディ２ａには、蓋部材２ｂ側に湾曲して形成された金属板材製の取付ベース２ｋがねじなどの適宜の固定手段により固定されている。取付ベース２ｋは、上下にわたり設けられるとともに、中央部が後方に向けて延びている。蓋部材２ｂは、図２に示すように、たとえばアルミニウム合金等の金属製の部材である。蓋部材２ｂには、上部に前後に延びるＴ字形の竿取付脚２ｃが一体形成されている。
【００２０】
機構収納空間内には、図１に示すように、ロータ３をハンドル１の回転に連動して回転させるロータ駆動機構５と、スプール４を前後に移動させて釣り糸を均一に巻き取るためのオシレーティング機構６と、スプール４を強弱２種のドラグ力で制動するドラグ機構（本発明に係るドラグ装置の一例）７とが設けられている。
【００２１】
ロータ駆動機構５は、ハンドル１が回転不能に装着されたハンドル軸１０と、ハンドル軸１０とともに回転するフェースギアからなるマスターギア１１と、マスターギア１１に噛み合うピニオンギア１２とを有している。マスターギア１１は、ハンドル軸１０が一体回転可能に係合するマスターギア軸１１ａと、マスターギア軸１１ａに設けられた円板状のフェースギア部１１ｂとを有している。ピニオンギア１２は、前後方向に配置されており、内部にスプール軸１５が貫通可能に筒状に形成されている。ピニオンギア１２の前部１２ａは、ロータ３の中心部を貫通しており、ナット１３によりロータ３と固定されている。ピニオンギア１２は、その軸方向の中間部と後端部とが、軸受１４ａ，１４ｂを介してリール本体２にそれぞれ回転自在に支持されている。
【００２２】
オシレーティング機構６は、先端にスプール４が連結されたスプール軸１５を前後方向に移動させてスプール４を同方向に移動させるための機構である。スプール軸１５は、ハンドル軸１０と食い違う方向に配置されている。オシレーティング機構６は、ピニオンギア１２に連動して回転する螺軸２０と、螺軸２０により前後移動するスライダ２１とを有している。スライダ２１は、スプール軸１５に回転自在かつ軸方向移動不能に連結されている。
【００２３】
ロータ３は、図１に示すように、円筒部３ａと、円筒部３ａの後端に一体形成され円筒部３ａと間隔を隔てて前方に延びる第１及び第２ロータアーム３ｂ，３ｃとを有している。両ロータアーム３ｂ，３ｃの先端には、揺動自在にベールアーム３ｄが装着されている。ベールアーム３ｄは、ロータ３の回転によりスプールに釣り糸を案内して巻き付けるために設けられている。
【００２４】
ロータ３の円筒部３ａの内部には、ロータ３の逆転を禁止・解除するための逆転防止機構２２が配置されている。逆転防止機構２２をローラ型のワンウェイクラッチを有しており、ワンウェイクラッチをリール本体の前部下面に揺動自在に装着された切換レバー２３により作用状態と非作用状態とに切り換えることにより、ロータ３の逆転を禁止・解除する。
【００２５】
スプール４は、ロータ３の第１ロータアーム３ｂと第２ロータアーム３ｃとの間に配置されており、スプール軸１５の先端に回転不能に装着されている。スプール４は、外周に釣り糸が巻かれる糸巻胴部４ａと、糸巻胴部４ａの後部に一体で形成されたスカート部４ｂと、糸巻胴部４ａの前端に一体で形成されたフランジ部４ｃとを有している。糸巻胴部４ａの前部には、プッシュボタン２４ａを有するワンタッチ着脱機構２４が設けられており、スプール４は、ワンタッチ着脱機構２４のプッシュボタン２４ａのワンプッシュ操作によりスプール軸１５から容易に取り外すことができる。なお、スプール軸１５は、ドラグ機構７が配置されたリール本体２の筒状部２ｄの内部まで延びている。スプール軸１５の後端部には、ドラグ機構７を装着するための互いに平行な面取り部１５ａが形成されている。
【００２６】
＜ドラグ機構の構成＞
ドラグ機構７は、図２及び図３に示すように、スプール軸１５を制動する第１ドラグ部２５と、第１ドラグ部２５より前方でスプール軸１５を制動する第２ドラグ部２６と、第１ドラグ部２５をドラグ可能状態とドラグ不能状態とに切り換える切換機構２７と、を備えている。第２ドラグ部２６は、第１ドラグ部２５より弱い最大ドラグ力でスプール軸１５を介してスプール４を制動する。
【００２７】
＜第１ドラグ部の構成＞
第１ドラグ部２５は、筒状部２ｄの外周面に前後移動不能かつ回転自在に装着された有底筒状の第１ドラグつまみ３０と、筒状部２ｄの内周面に第１ドラグつまみ３０と一体回転可能かつ前後移動自在に装着され、筒状部２ｄの内周面に螺合する第１押圧部材３１と、第１押圧部材３１により押圧される第１被押圧部３２と、を有している。
【００２８】
第１ドラグつまみ３０は、筒状部２ｄに回転自在かつ軸方向移動不能に装着された鍔付き円筒状の第１つまみ部材４０と、筒状部２ｄの後端部を塞ぐように第１つまみ部材４０にねじ込み固定された有底筒状の第２つまみ部材４１と、を有している。第１つまみ部材４０は、回転自在かつ軸方向移動不能に筒状部２ｄに連結される第１ドラグつまみ３０の機能部分を構成する部材である。第１つまみ部材４０の鍔部４０ａの前端部及び円筒部４０ｂの後端部は、環状溝２ｆに装着されたばね線材製のＣ型の止め輪３９ｂ，３９ｃ及びＣ型止め輪３９ｃにより後方への移動を規制されたワッシャ３９ｄにより前後方向の移動を規制されている。円筒部４０ｂの外周面には、第２つまみ部材４１を固定するための雄ねじ部４０ｃが形成されている。
【００２９】
第２つまみ部材４１は、第１ドラグつまみ３０の操作部分及び第１押圧部材３１との連結部分を構成している。第２つまみ部材４１は、後方に向けて徐々に縮径する操作用の外周面を有している。第２つまみ部材４１の内周面には、雄ねじ部４０ｃに螺合する雌ねじ部４１ａが形成されている。また、底部４１ｂの中心部内面には、第１押圧部材３１を一体回転可能かつ軸方向移動自在に連結するためのスロット凹部４１ｃが形成されている。
【００３０】
第２つまみ部材４１と筒状部２ｄの後端面との間には第１ドラグつまみ３０の回動操作により発音する音出しピン方式の第１発音機構３３が配置されている。第１発音機構３３は、第２つまみ部材４１に進退自在に装着された音出しピン３３ａと、第１つまみ部材４０に回転自在に装着され筒状部２ｄの後端面に回転不能に連結された音出しリング３３ｂとを有している。音出しリング３３ｂは、Ｃ型止め輪３３ｃに第１つまみ部材４０に抜け止めされている。音出し部材３３ａは、コイルばね３３ｄにより音出しリング３３ｂに向けて付勢されている。
【００３１】
第１押圧部材３１は、第１筒部３１ａと、第１筒部３１ａより大径の第２筒部３１ｂとを有する段付き筒状の部材である。第１筒部３１ａの外周面には、スロット凹部４１ｃに一体回転可能かつ軸方向移動自在に係合する互いに平行な面取り部３１ｃ（図２参照）が形成されている。第２筒部３１ｂの外周面には、筒状部２ｄの内周面に形成された雌ねじ部２ｉに螺合する雄ねじ部３１ｄが形成されている。第１押圧部材３１は、第１ドラグつまみ３０の回動に応じて前後に移動する。第１押圧部材３１と、第１被押圧部３２との間には、押圧力に応じて伸縮するコイルばね３４が圧縮状態で配置されている。コイルばね３４は、第１ドラグ部２５のドラグ力を細かく増減するために用いられる。
【００３２】
第１被押圧部３２は、図２に示すように、後述する第１係止部材５１の外周面に装着される。第１被押圧部３２は、筒状部２ｄの係止溝２ｅに係止され筒状部２ｄに対して回転不能な２枚の第１ドラグ座金４２ａ，４２ｂと、第１係止部材５１を介してスプール軸１５に対して回転不能な状態を取り得るに第２ドラグ座金４３と、両ドラグ座金４２ａ，４２ｂ，４３の間等に配置され、筒状部２ｄ及びスプール軸１５のいずれにも回転自在な５枚のドラグワッシャ４４ａ〜４４ｅとを有している。第１ドラグ座金４２ａ，４２ｂは、外周部に径方向外方に突出して筒状部２ｄの係止溝２ｅに係合して回り止めされる１対の耳部４２ｃを有している。第２ドラグ座金４３は、内周面に第１係止部材５１に回転不能に係合する長円形のスロット４３ａを有している。後側の第１ドラグ座金４２ｂにコイルばね３４が接触し、前側のドラグワッシャ４４ａが第１係止部材５１の鍔部５１ａに当接している。
【００３３】
＜第２ドラグ部の構成＞
第２ドラグ部２６は、第１ドラグつまみ３０の前方で筒状部２ｄの外周面に前後移動不能かつ回転自在に装着された第２ドラグつまみ３５と、筒状部２ｄの第１ドラグつまみ３０より前方の外周面に第２ドラグつまみ３５と一体回転可能かつ前後移動自在に装着され、筒状部２ｄの外周面に螺合する第２押圧部材３６と、第２押圧部材３６により押圧される第２被押圧部３７と、を有している。
【００３４】
第２ドラグつまみ３５は、後方に向けて徐々に縮径する操作用の外周面を有する略筒状の部材である。第２ドラグつまみ３５の小径側である後端部の外径は、第１つまみ部材４０の鍔部４０ａの外径と略等しい。このため、第１ドラグつまみ３０と第２ドラグつまみ３５とは滑らかに連なって配置されている。第１ドラグつまみ３０と第２ドラグつまみ３５との軸方向の隙間は、０．２ｍｍ〜１．５ｍｍ、好ましくは０．３ｍｍ〜０．８ｍｍである。また、第２ドラグつまみ３５と切欠き部２ｇの前側壁部２ｍとの隙間は、０．２ｍｍ〜１．５ｍｍ、好ましくは０．３ｍｍ〜０．８ｍｍである。第２ドラグつまみ３５の内周面には、大径部３５ａと、大径部３５ａの後方に配置された小径部３５ｂとが形成されている。大径部３５ａと小径部３５ｂとの境界部分の大径部３５ａ側の内周面には、第２押圧部材３６を回動不能かつ軸方向移動自在に連結する複数の内周突起３５ｃが径方向内方に突出して形成されている。内周突起３５ｃは、周方向に間隔を隔てて形成されている。大径部３５ａは、筒状部２ｄの切欠き部２ｇの外周側に配置され、小径部３５ｂは、筒状部２ｄの外周面に回動自在に支持される。第２ドラグつまみ３５は、ワッシャ３８により後方への移動が規制されている。ワッシャ３８は、前側の環状溝２ｆに装着されたＣ型止め輪３９ａにより後方への移動が規制されている。また、第２ドラグつまみ３５の前方への移動は、リールボディ２ａの筒状部２ｄの切欠き部２ｇの前側壁面２ｍにより規制されている。この結果、第２ドラグつまみ３５も第１ドラグつまみ３０と同様に前後いずれの方向にも実質的に移動不能である。第２ドラグつまみ３５と、筒状部２ｄの基端側のリールボディ２ａの壁面との間には第２ドラグつまみ３５の回動操作により発音する音出しピン方式の第２発音機構４５が配置されている。
【００３５】
第２押圧部材３６は、概ね筒状の部材であり、その先端外周面には、内周突起３５ｃに回転不能かつ軸方向移動不能に係合する複数の外周突起３６ａが径方向外方に突出し周方向に間隔を隔てて形成されている。また、内周面には、筒状部２ｄの雄ねじ部２ｈに螺合する雌ねじ部３６ｂが形成されている。第２押圧部材３６は、第２ドラグつまみ３５の回動に応じて前後に移動する。第２押圧部材３６と第２被押圧部３７との間において筒状部２ｄの外周面には、筒状のスペーサ４６が装着されている。スペーサ４６は、第２押圧部材３６の押圧力を第２被押圧部３７に伝達するための部材である。
【００３６】
第２被押圧部３７は、図２に示すように、後述する第２係止部材５２に装着されている。第２被押圧部３７は、切欠き部２ｇに回動不能に係止され、筒状部２ｄに対して回転不能な２枚の第３ドラグ座金５５ａ，５５ｂと、第２係止部材５２を介してスプール軸１５に対して回転不能な状態を取り得るに第４ドラグ座金５６と、両ドラグ座金５５ａ，５５ｂ，５６の間等に配置され、筒状部２ｄ及びスプール軸１５のいずれにも回転自在な３枚のドラグワッシャ５７ａ〜５７ｃとを有している。第３ドラグ座金５５ａ，５５ｂは、外周部に径方向外方に突出して切欠き部２ｇ及びその係止孔に係合して回り止めされる放射状に配置された複数（たとえば３つ）の耳部５５ｃを有している。後ろ側の第３ドラグ座金５５ｂの耳部５５ｃにスペーサ４６が接触して第２押圧部材３６により第２被押圧部３７が押圧される。第４ドラグ座金５６は、内周面に第２係止部材５２に一体回転可能に係合する複数（たとえば、４つ）の内側突起部５６ａを有している。第４ドラグ座金５６の外周面には、スプール軸１５が回転してドラグ機構７が作動したときに発音するドラグ発音機構（図示せず）用の音出し突起４４ｂが周方向に間隔を隔てて形成されている。前側のドラグワッシャ５７ａは、切欠き部２ｇの前側壁面２ｍ（図２）に接触可能である。
【００３７】
＜切換機構の構成＞
切換機構２７は、図４に示す第１位置と、第１位置より前方の図５に示す第２位置とに前後移動自在かつ回転不能にスプール軸１５に装着された切換部材５０と、切換部材５０の外周側に配置された第１及び第２係止部材５１，５２と、切換部材５０を第１位置と第２位置とに移動させる操作を行うための切換レバー５３と、を有している。また、切換機構２７は、切換レバー５３の揺動により切換部材５０を前後に移動させる移動機構５４と、切換部材５０が第２位置にあるとき、ハンドル１の糸巻取方向の回転により移動機構５４を動作させて切換部材５０を第１位置に戻す戻し機構５８と、を有している。
【００３８】
切換部材５０は、図２及び図３に示すように、スプール軸１５の面取り部１５ａに係合してスプール軸１５と一体回転可能かつスプール軸方向に第１位置と第２位置との間で前後移動自在な概ね筒状の部材である。切換部材５０は、図４に示す第１位置にあるとき、第１及び第２係止部材５１，５２と回転不能に連結し、第２位置にあるとき第２係止部材５２とだけ回転不能に連結する。この結果、切換部材５０が第２位置にあるとき、第１係止部材５１はスプール軸１５に対して回転自在になる。これにより、スプール軸１５が回転しても第１係止部材５１は一体回転しなくなり、第１ドラグ部２５はドラグ不能状態になる。切換部材５０の内周面には、面取り部１５ａに係合する平行面を有する長孔５０ａと、長孔５０ａの前方に面取り部１５ａを超えて前方に移動可能な丸孔５０ｂとが前後に並べて形成されている。この長孔５０ａにより切換部材５０は、スプール軸１５と常に一体回転可能である。切換部材５０の外周面には、移動機構５４に係合する大径の鍔部５０ｃと、鍔部５０ｃと間隔を隔てて後方に放射状に径方向に突出し、第１及び第２係止部材５１，５２に回転不能に係合可能な複数（たとえば、４つ）の回り止め突起５０ｄと、が形成されている。
【００３９】
第１係止部材５１は、切換部材５０が第１位置にあるとき切換部材５０に回転不能に係合し、かつ筒状部２ｄに前方への移動が規制された状態で装着された部材である。第１係止部材５１は、軸方向の中央部に鍔部５１ａを有する鍔付き筒状の部材であり、筒状部２ｄの内部で切換部材５０の外周側に配置されている。第１係止部材５１の内周面には、切換部材５０の回り止め突起５０ｄに係合する断面が十字状の係止孔５１ｂと、係止孔５１ｂの後方に形成された装着孔５１ｃとが軸方向に並べて形成されている。この鍔部５１ａの後方の外周面に第１被押圧部３２が装着され、第１被押圧部３２の最前列に配置されたドラグワッシャ４４ａは、鍔部５１ａの後面に接触して鍔部５１ａに向けて押圧される。鍔部５１ａの前面は、筒状部２ｄの切欠き部２ｇより後方の内周面に形成された壁部２ｊにワッシャ部材４８を介して接触している。
【００４０】
第２係止部材５２は、第１係止部材５１の前方に配置され、切換部材５０が第２位置にあるとき切換部材５０に回転不能に係合し、かつ筒状部２ｄに前方への移動が規制された状態で装着された筒状の部材である。なお、この実施形態では、第２係止部材５２は、切換部材５０が第１位置にあるときにも、切換部材５０に回転不能に係合している。これにより、第１ドラグ部２５及び第２ドラグ部２６のいずれかによりドラグが作動してスプール軸１５が回転すると、第４ドラグ座金５６が常に回転するので、ドラグが作動すると常に発音させることができる。第２係止部材５２の外周面には、第２被押圧部３７が装着されている。また、外周面の前部には、第４ドラグ座金５６の内側突起部５６ａに係合する複数（たとえば４つ）の係止凹部５２ａが形成されている。また、内周面には、切換部材５０の回り止め突起５０ｄに係合する断面が十字状の係止孔５２ｂが形成されている。これにより、第４ドラグ座金５６が第２係止部材５２を介してスプール軸１５と一体回転可能になる。
【００４１】
切換レバー５３は、図２及び図４に示すように、リールボディ２ａにスプール軸１５と食い違う軸回りに揺動自在に装着されている。切換レバー５３は、スプール軸１５と食い違う軸回りに回動自在にリールボディ２ａ及び蓋部材２ｂに装着された切換軸６０と、切換軸６０の両端に一体回動可能に装着されたレバー体６１とを有している。切換軸６０は、ハンドル軸１０と平行に配置された軸部６０ａと、戻し機構５８を構成する後述する戻し板７０を連結するための連結アーム６０ｂと、移動機構５４を構成する後述する移動部材６５を揺動させるためのカムアーム６０ｃとを有している。これらの両アーム６０ｂ，６０ｃは、軸部６０ａから径方向に突出して形成されている。切換軸６０は、一端が切換軸６０に係止され他端が取付ベース２ｋに係止された図２に示すトグルばね６２により、図４に示す切換部材５０の第１位置に対応する後位置と、図５に示す切換部材５０の第２位置に対応する前位置との２つの位置に振り分けて付勢されている。
【００４２】
レバー体６１は、左右１対のレバー部材６１ａ，６１ｂと、両レバー部材６１ａ，６１ｂを先端部分で連結する連結部材６１ｃと、を有している。このレバー体６１により切換軸６０を後位置と前位置とに回動させることにより切換部材５０を第１位置と第２位置とにそれぞれ配置することができる。これにより、第１ドラグ部２５をドラグ可能状態とドラグ不能状態とに切り換えできる。
【００４３】
移動機構５４は、リールボディ２ａの後部に第１位置に対応する第３位置と、第２位置に対応する第４位置とに揺動自在に装着された移動部材６５を有している。移動部材６５は、矩形状の本体部６５ａと、本体部６５ａの４隅から下方に延びる４つの脚部６５ｂと、本体部６５ａから前方に延びる作動部６５ｃとを有している。脚部６５ｂのうち後方に配置された脚部６５ｂは、他の脚部６５ｂより下方に延びてリールボディ２ａに揺動自在に装着されている。前後に配置された１対の脚部６５ｂは、切換部材５０の鍔部５０ｃを教示するように対向して配置された突起部６５ｄをそれぞれ有している。この突起部６５ｄで鍔部５０ｃを挟んで揺動することにより、移動部材６５は、切換部材５０を第１位置と第２位置とに移動させる。作動部６５ｃは、カムアーム６０ｃに接触しており、カムアーム６０ｃにより押圧され、移動部材６５は、第３位置から第４位置に向けて揺動する。また、移動部材６５は、捩じりコイルばね６３により第３位置に向けて付勢されており、カムアーム６０ｃが図５に示す時計回りに揺動すると、捩じりコイルばね６３の付勢力により第４位置から第３位置に向けて揺動する。
【００４４】
戻し機構５８は、マスターギア１１の背面に突出して形成された戻し突起６９と、切換レバー５３の後位置から前位置への揺動により図４に示す離反位置から図５に示す係止位置に移動する戻し板７０と、を有している。戻し突起６９は、マスターギア１１のフェースギア部１１ｂの背面側でマスターギア軸１１ａから径方向に突出して形成されている。戻し突起６９は、回転方向に間隔を隔てて複数（たとえば４つ）設けられている。戻し板７０は、戻し突起６９に係合する係合位置と戻し突起６９から離反する離反位置とに移動する。戻し板７０は、戻し突起６９に接触可能な戻し爪７０ａと、連結アーム６０ｂの先端に回動自在に連結された連結部７０ｂと、戻し爪７０ａの下方に形成された位置規制開口７０ｃと、を有している。戻し爪７０ａは、ハンドル軸１０に向けて突出して形成され、係合位置にあるとき、戻し突起６９の上面に接触可能である。位置規制開口７０ｃは、取付ベース２ｋに装着された規制ピン６８に係合して戻し板７０が離反位置と係合位置とに維持されるように戻し板７０の位置を規制するために設けられている。戻し板７０は、トグルばね６６により離反位置と係合位置とに振り分けて付勢されている。戻し板７０は、切換レバー５３が図４に示す後位置から図５に示す前位置に操作されると、図４に示す離反位置から図５に示す係合位置に移動する。また、逆に、切換レバー５３が図５に示す前位置から図４に示す後位置に操作されると、図５に示す係合位置から図４に示す離反位置に移動する。さらに、係合位置にあるとき、ハンドル１が糸巻取方向に回転し、マスターギア１１が図５の反時計回りに回転すると、戻し突起６９が戻し板７０の戻し爪７０ａを押圧し、トグルばね６６により離反位置に揺動する。
【００４５】
＜ドラグ機構の動作＞
第１ドラグ部２５のドラグ力を調整する際には、第１ドラグつまみ３０を回す。第１ドラグつまみ３０を回すと、筒状部２ｄの内周面に形成された雌ねじ部２ｉに螺合する第１押圧部材３１が回転しながら前後に移動し、コイルばね３４を介して第１被押圧部３２への押圧力が変化し、第１ドラグ部２５のドラグ力が変化する。具体的には、第１ドラグつまみ３０を後方から見て時計回りに回すと第１押圧部材３１が前進（図１左方へ移動）し、ドラグ力が強くなる。また反時計回りに回すと第１押圧部材３１が後退し、ドラグ力が弱くなる。このとき、第２つまみ部材４１が前後方向の移動を規制されているので、第１ドラグつまみ３０は前後方向に移動しない。
【００４６】
第２ドラグ部２６のドラグ力を調整する際には、第２ドラグつまみ３５を回す。第２ドラグつまみ３５を回すと、筒状部２ｄの外周面に形成された雄ねじ部２ｈに螺合する第２押圧部材３６が回転しながら前後に移動し、第２被押圧部３７への押圧力が変化し、第２ドラグ部２６のドラグ力が変化する。具体的には、第２ドラグつまみ３５を後方から見て時計回りに回すと第２押圧部材３６が前進（図１左方へ移動）し、ドラグ力が強くなる。また反時計回りに回すと第２押圧部材３６が後退し、ドラグ力が弱くなる。このとき、第１ドラグつまみ３０が前後方向の移動を規制されているので、第２ドラグつまみ３５は前後方向に移動しない。
【００４７】
ここでは、第１及び第２ドラグつまみ３０，３５は、いずれも前後移動不能に筒状部２ｄに装着されている。このため、いずれのドラグつまみ３０，３５を回してもドラグつまみ３０，３５は前後移動せずに回転するだけである。したがって、両ドラグつまみ３０，３５の隙間及び第２ドラグつまみ３５とリール本体２との隙間を可及的に小さくすることで、ドラグつまみ３０，３５の内部への異物の侵入を可及的に抑えることができる。
【００４８】
釣りを行うときには、上記のように２つのドラグ部２５，２６のドラグ力を調整した後、キャステング等して生き餌をつけた仕掛けを水中に投下する。そして、切換レバー５３を図４に示す後位置から図５に示す前位置に揺動させる。切換レバー５３を前位置に向けて揺動させると、切換軸６０が揺動してカムアーム６０ｃにより移動部材６５の作動部６５ｃが押圧され、移動部材が図４反時計回りに第３位置から第４位置に揺動し、切換部材５０が第１位置から第２位置に前方に移動する。これにより、第１係止部材５１と切換部材５０との連結が解除され第１ドラグ部２５がドラグ不能状態になる。このため、スプール４に作用するドラグ力が第２ドラグ部２６によるドラグ力になる。この第２ドラグ部２６によるドラグ力は上記の調整で生き餌が泳いでいるくらいではスプール４が糸繰り出し方向に回転せず、仕掛けに魚が掛かると繰り出される程度の弱いドラグ力である。この状態で魚の当たりを待つ。
【００４９】
魚が仕掛けに掛かると、スプール４が糸繰り出し方向に回転し、ドラグ発音機構が発音する。すると、釣り人はハンドル１を糸巻取方向に回転させてロータ３を回転させ釣り糸を巻き取る。すると、マスターギア１１が糸巻取方向（図５反時計回り）に回転し、戻し突起６９が戻し板７０ａを蹴って係合位置から離反位置に戻し板７０ａ戻る。この結果、切換軸６０が図５時計回りに回転して移動部材６５が第４位置から第３位置に戻り、切換部材が第２位置から第１位置に戻る。これにより、第１係止部材５１と切換部材とが回転不能に連結され第１ドラグ部２５がドラグ可能状態になり、釣り糸が切れない程度の強くドラグ力がスプール４に作用する。これにより、仕掛けに掛かった魚を巻き上げ可能になる。
【００５０】
このようなリール本体の後部に強弱２つのドラグ部を有しそれを切換可能なスピニングリールにおいて、本発明では、第１ドラグつまみ３０と、第２ドラグつまみ３５とがともに前後移動しないように構成されているので、いずれのドラグつまみ３０，３５を回してもドラグつまみ３０，３５は前後移動せずに回転するだけである。したがって、両ドラグつまみ３０，３５の隙間及び第２ドラグつまみ３５とリール本体２との隙間を可及的に小さくすることで、両ドラグつまみ３０，３５の内部への異物の侵入を可及的に抑えることができる。
【００５１】
＜他の実施形態＞
（ａ）前記実施形態では、第１ドラグ部２５の最大ドラグ力を第２ドラグ部２６より強くしたが逆でも同じでもよい。
【００５２】
（ｂ）前記実施形態では、第１位置に切換部材５０が配置されている場合も第２ドラグ部２６をドラグ可能状態にしていずれのドラグ部２５，２６が動作しても発音するように構成したが、第１位置に切換部材５０が配置されているときに第２ドラグ部２６がドラグ不能状態であってもよい。この場合、それぞれのドラグ部２５，２６の動作に応じた２つのドラグ発音機構を設けるのが好ましい。
【図面の簡単な説明】
【００５３】
【図１】本発明の一実施形態が採用されたスピニングリールの断面図。
【図２】その分解斜視部分図
【図３】リール後部の断面拡大図。
【図４】切換部材が第１位置にあるときのドラグ機構の断面図。
【図５】切換部材が第２位置にあるときのドラグ機構の断面図。
【符号の説明】
【００５４】
７  ドラグ機構（本発明のドラグ装置の一例）
２５  第１ドラグ部
２６  第２ドラグ部
２７  切換機構
３０  第１ドラグつまみ
３１  第１押圧部材
３２第１被押圧部
３５  第２ドラグつまみ
３６  第２押圧部材
３７  第２被押圧部
４０  第１つまみ部材
４１  第２つまみ部材
４２ａ，４２ｂ  第１ドラグ座金
４３  第２ドラグ座金
５０  切換部材
５１  第１係止部材
５２  第２係止部材
５３  切換レバー
５５ａ，５５ｂ  第３ドラグ座金
５６  第４ドラグ座金
【手続補正２】
【補正対象書類名】図面
【補正対象項目名】図１
【補正方法】変更
【補正の内容】
【図１】
2007312703.tif 000001
【手続補正３】
【補正対象書類名】図面
【補正対象項目名】図２
【補正方法】変更
【補正の内容】
【図２】
2007312703.tif 000002